(57)【要約】【課題】地震発生時のラックの揺れを少なくし、ラックや保管物品の破損を防止することができる入れ子式ラックを提供する。【解決手段】左右の前柱１，１及び後柱２，２の４本の柱の下端側に格子枠状の積載床３を設け、左右前柱１，１の内法間隔Ｗを左右後柱２，２の外法間隔Ｗ１よりも広くし、左右後柱２，２の上端面に亘って後部上梁４を架設し、前柱１上端部側と後部上梁４の上面端部とに亘ってサイド上梁５を架設し、前柱１の上端面１ａに積み重ね用嵌合突起１０を設け、下端面には前記嵌合突起１０が嵌合する嵌合凹部１１を設け、前柱１の上端面１ａと後部上梁４の上面とが同一水平面に位置し、この水平面上に下面が位置するサイド上梁５の前端側及び後端側に係合用凹部１２，１３を設ける。【選択図】図１
2010036976.tif 000002
【特許請求の範囲】
【請求項１】
ラック使用時には上下に積み重ねでき、不使用時には同一構造の他のラックを入れ子式に収納でき、下記(1)〜(4)の要件を具備する入れ子式ラック。
(1).左右の前柱及び後柱の４本の柱の下端側に格子枠状の積載床を設け、左右前柱の内法間隔を左右後柱の外法間隔よりも広くする。
(2).左右後柱の上端面に亘って後部上梁を架設し、前柱上端部側と後部上梁の上面端部とに亘ってサイド上梁を架設する。
(3).前柱の上端面に積み重ね用嵌合突起を設け、下端面には前記嵌合突起が嵌合する積み重ね用嵌合凹部を設ける。
(4).前柱の上端面と後部上梁の上面とが同一水平面に位置し、この水平面上に下面が位置するサイド上梁の前端側及び後端側にラック連結用金具を介装するための係合用凹部を設ける。
【請求項２】
複数のラックをサイド上梁どうしが隣接するように水平に配列する時に、隣接するサイド上梁の隣り合う係合用凹部に水平連結金具の係合凸部を係合してサイド上梁どうしを連結するようにした請求項１に記載の入れ子式ラック。
【請求項３】
正立状態にある一つのラックの上に他のラックを逆立ち状態で積み重ねる時に、上段側ラック及び下段側ラックの夫々サイド上梁の前端側係合用凹部に夫々係合する係合片と上段側ラック及び下段側ラックＲの夫々前柱の積み重ね用嵌合突起に夫々嵌合する嵌合部材とを備えたラック前部連結金具、及び上段側ラックのサイド上梁と後部上梁とのコーナー部に外側から嵌合する嵌合部材と下段側ラックＲのサイド上梁の後端側係合用凹部に係合する係合片とを備えたラック後部連結金具を使用して上下のラックを連結するようにした請求項１に記載の入れ子式ラック。
【請求項４】
積載床の左右縦梁の外法間隔を左右サイド上梁の内法間隔よりも狭くし、ラックを上下に積み重ねる時に、上段側ラックの積載床の縦梁とこれの斜め下方に隣り合う下段側ラックのサイド上梁との間にこれら両梁に係嵌して両梁を連結する垂直連結金具を介装するようにした請求項１〜３の何れかに記載の入れ子式ラック。
【請求項５】
垂直連結金具は、前記縦梁に対し上方より係止される上部フックの下端部に下部筒片を固着してなる上部係止金具と、前記サイド上梁に対し下方より係止される下部フックの下端部に上部筒片を固着してなる下部係止金具と、両係止金具の下部筒片と上部筒片とに亘って嵌挿される連結用ピンとからなる請求項４に記載の入れ子式ラック。
【請求項６】
請求項１〜５の何れかに記載の一対の入れ子式ラックを互いの前部側が対向するように所定間隔をおいて対峙させ、各ラックの上部に格子枠状のラック側デッキを載設し、両ラック側デッキの前端部間に格子枠状の本体デッキを橋架することによって形成されるデッキ装置であって、
各ラック側デッキの前端側の左右端部下面に夫々突設した係合凸部を、各ラックのサイド上梁の前端側係合用凹部に係合させ、本体デッキの前後各端側の左右端部下面に夫々突設した嵌合部材を、各ラックの前柱上端面の積み重ね用嵌合突起に嵌合させるようにしたデッキ装置。
【発明の詳細な説明】
【技術分野】
【０００１】
本発明は、物品保管用のラックとして使用する時は上下に積み重ねることができ、また不使用時には同一構造の他のラックを内部に入れ子式に収納（ネスティング）することができるに入れ子式ラックに関し、更に本発明は、このラックを使用して形成されるデッキ装置に関する。
【背景技術】
【０００２】
この種の従来のラックとしては、例えば下記特許文献１に記載されたものがある。このラックは、ラックとして使用する際には上下に積み重ねることができ、不使用時には他の同一構造のラックを収納できるラックであって、積み重ね時に上段側ラックの荷重がその柱から下段側ラックの柱に垂直に伝達される構造であり、前柱及び後柱の端部に、積み重ねた上下段のラックのズレを防止するズレ防止部材が設けられている。
【特許文献１】特開２００１−２４００５５号公報
【発明の開示】
【発明が解決しようとする課題】
【０００３】
この種の入れ子式ラックの使用方法は、大きく分けて、（ａ）平パレットの如くヤード間の移動媒体とし且つ積み重ね保管棚として使用するケース、言い換えれば頻繁に移動と保管を繰り返すケース、（ｂ）ラックそのものはほとんど移動せず、固定棚代わりに使用するケース、（ｃ）ラックを移動媒体として使用するが、一旦積み重ねると比較的長期間その状態のまま保管するケースの三つがある。
【０００４】
然るに、上記従来の入れ子式ラックは、上記（ａ）のケースでは、連結金具等の脱着を頻繁に行わなければならず、また（ｂ）及び（ｃ）のケースを主眼においた場合、我が国のような地震多発国では、地震発生時に外力が作用すると、入れ子式ラック特有の構造、つまりラックの上面側平面視形状及び前面側正面視形状が共にコ字形であるため、構造的なアンバランスから入れ子式でないラックや固定棚に比べて、揺れが大きく、また捩れも大きくなる。一般的に、この種のラックにおいても、地震等による揺れや捩れが大きくなればなるほど、ラックの損壊の危険性が高くなる。衝撃的荷重を吸収するため、軽度の揺れや捩れは、ラック等の構造物には応力集中等を回避するためむしろ必要なものである。しかし、限度を越える揺れや捩れはラック損壊の大きな要因となることは明らかである。従って、ラックを固定棚代わりに使用したり、上下に積み重ねた状態で比較的長期間使用する場合には、整然と配列された入れ子式ラックも、いつ起こるか分からない地震の不安に常に晒されている状態にある。
【０００５】
本発明は、上記の事情に鑑み、ラック間の連結に重点を置いて、ラックを水平に配列した時に隣接するサイド上梁どうしを簡便にして水平２方向（Ｘ，Ｙ方向）を強固に連結できるようにし、またラックを上下に積み重ねた時に上段側ラックの梁材と下段側ラックの梁材を簡便にして強固に連結できるようにし、それによって地震発生時のラックの揺れを少なくし、ラックや保管物品の破損を防止することができる入れ子式ラックを提供することを主たる目的とする。本発明の他の目的は、そのような入れ子式ラックの使用により、本来フォークリフト等の通路としてしか使用されなかった同上部空間を有効に活用し得る安定性のある中二階式のデッキ装置を提供することにある。
【課題を解決するための手段】
【０００６】
上記課題を解決するための手段を、後述する実施形態の参照符号を付して説明すると、請求項１に係る発明は、ラック使用時には上下に積み重ねでき、不使用時には同一構造の他のラックＲを入れ子式に収納できる入れ子式ラックＲであって、下記(1)〜(4)の要件を具備することを特徴とする。
(1).左右の前柱１，１及び後柱２，２の４本の柱の下端側に格子枠状の積載床３を設け、左右前柱１，１の内法間隔Ｗを左右後柱２，２の外法間隔Ｗ１よりも広くする。
(2).左右後柱２，２の上端面に亘って後部上梁４を架設し、前柱１上端部側と後部上梁４の上面端部とに亘ってサイド上梁５を架設する。
(3).前柱１の上端面１ａに積み重ね用嵌合突起１０を設け、下端面には前記嵌合突起１０が嵌合する積み重ね用嵌合凹部１１を設ける。
(4).前柱１の上端面１ａと後部上梁４の上面とが同一水平面に位置し、この水平面上に下面が位置するサイド上梁５の前端側及び後端側にラック連結用金具を介装するための係合用凹部１２，１３を設ける。
【０００７】
請求項２は、請求項１に記載の入れ子式ラックにおいて、複数のラックＲをサイド上梁５どうしが隣接するように水平に配列する時に、隣接するサイド上梁５の隣り合う係合用凹部１２，１３に水平連結金具２１，２３，２４の係合凸部２１ａ，２３ａ，２４ａを係合してサイド上梁５どうしを連結するようにしたことを特徴とする。
【０００８】
請求項３は、請求項１に記載の入れ子式ラックにおいて、正立状態にある一つのラックＲの上に他のラックＲを逆立ち状態で積み重ねる時に、上段側ラックＲ及び下段側ラックＲの夫々サイド上梁５の前端側係合用凹部１２に夫々係合する係合片４３，４４と上段側ラックＲ及び下段側ラックＲの夫々前柱１の積み重ね用嵌合突起１０，１０に夫々嵌合する嵌合部材４６とを備えたラック前部連結金具４１、及び上段側ラックＲのサイド上梁５と後部上梁４とのコーナー部に外側から嵌合する嵌合部材４７と下段側ラックＲのサイド上梁５の後端側係合用凹部１３に係合する係合片４８とを備えたラック後部連結金具４２を使用して上下のラックＲ，Ｒを連結するようにしたことを特徴とする。
【０００９】
請求項４は、請求項１〜３の何れかに記載の入れ子式ラックにおいて、積載床３の左右縦梁８，８の外法間隔Ｗ２を左右サイド上梁５，５の内法間隔Ｗ５よりも狭くし、ラックＲを上下に積み重ねる時に、上段側ラックＲの積載床３の縦梁３とこれの斜め下方に隣り合う下段側ラックＲのサイド上梁５との間にこれら両梁３，５に係嵌して両梁３，５を連結する垂直連結金具１７を介装するようにしたことを特徴とする。
【００１０】
請求項５は、請求項４に記載の入れ子式ラックにおいて、垂直連結金具１７は、前記縦梁８に対し上方より係止される上部フック１８ａの下端部に下部筒片１８ｂを固着してなる上部係止金具１８と、前記サイド上梁５に対し下方より係止される下部フック１９ａの下端部に１９ｂ片を固着してなる下部係止金具１９と、両係止金具１８，１９の下部筒片１８ｂと上部筒片１９ｂとに亘って嵌挿される連結用ピン２０とからなることを特徴とする。
【００１１】
請求項６に係る発明は、請求項１〜５の何れかに記載の一対の入れ子式ラックＲ，Ｒを互いの前部側が対向するように所定間隔をおいて対峙させ、各ラックＲの上部に格子枠状のラック側デッキ２５を載設し、両ラック側デッキ２５，２５の前端部間に格子枠状の本体デッキ２６を橋架することによって形成されるデッキ装置であって、各ラック側デッキ２５の前端側の左右端部下面に夫々突設した係合凸部３０を、各ラックＲのサイド上梁５の前端側係合用凹部１２に係合させ、本体デッキ２６の前後各端側の左右端部下面に夫々突設した嵌合部材３７を、各ラックＲの前柱上端面１ａの積み重ね用嵌合突起１０に嵌合させるようにしたことを特徴とする。
【発明の効果】
【００１２】
上記解決手段による発明の効果を、後述する実施形態の参照符号を付して説明すると、請求項１に係る発明の入れ子式ラックＲによれば、複数のラックＲをサイド上梁５どうしが左右更には前後に隣接するように水平配列する時や、正立状態にある一つのラックの上に他のラックを逆立ち状態で積み重ねる時などに、サイド上梁５の前端側及び後端側係合用凹部１２，１３に水平連結金具や補助金具を介装することにより、ボルト等の面倒な工具を使用することなく容易に連結できて、ラックＲどうしを強固に連結することができ、それにより地震発生時のラックの揺れを少なくして、ラック自体や保管物品の破損を防止することができる。
【００１３】
請求項２に係る発明によれば、複数のラックＲをサイド上梁５どうしが隣接するように水平に配列する時に、各サイド上梁５の前端部及び後端部に設けた係合凹部１２，１３を利用して、水平連結具２１，２３，２４の係合凸部２１ａ，２３ａ，２４ａを係合させることにより、隣接するサイド上梁５どうしをボルト等の面倒な工具を使用することなく容易に連結できて、ラックＲどうしを強固に連結することができ、地震発生時のラックの揺れを少なくして、ラック自体や保管物品の破損を防止することができる。
【００１４】
請求項３に係る発明によれば、正立状態にある一つのラックＲの上に同一構造の他のラックＲを逆立ち状態で積み重ねる時に上下ラックＲ，Ｒの前端部間及び後端部間にラック前部連結金具４１及びラック後部連結金具４２を介装することにより、上下のラックＲ，Ｒを、ボルト等の面倒な工具を使用することなく容易迅速にして且つ強固に連結することができると共に、ラックＲに保管する商品の高さ変動に容易に対応できる。
【００１５】
請求項４に係る発明によれば、積載床３の左右縦梁８，８の外法間隔Ｗ２を左右サイド上梁５，５の内法間隔Ｗ５より狭くしたことにより、ラックＲを上下に積み重ねる時に、上段側ラックＲの積載床３の縦梁３とこれの斜め下方に隣り合う下段側ラックＲのサイド上梁５との間に水平方向の間隔Ｓが生じるから、この間隔Ｓに、両梁３，５を連結する垂直連結金具１７を介装することができ、従ってこの垂直連結金具１７により上下のラックＲどうしをボルト等の面倒な工具を使用することなく容易に連結できて、ラックＲどうしを強固に連結でき、それにより積み重ねたラックＲの一体性を高め、ラック保管の安全性を確保できる。また水平連結金具水平連結具２１，２３，２４との併用によって、配列ラック全体の一体性を高めることができる。
【００１６】
請求項５に係る発明によれば、垂直連結金具１７が、上部フック１８ａの下端部に下部筒片１８ｂを固着した上部係止金具１８と、下部フック１９ａの下端部に１９ｂ片を固着した下部係止金具１９と、両係止金具１８，１９の下部筒片１８ｂと上部筒片１９ｂとに亘って嵌挿される連結用ピン２０とからなるもので、垂直連結金具１７はその構造が簡単で製作が容易であるから、安価に提供することができ、またその脱着にはボルト等を一切使用することなく極めて簡便に取り外し可能である。
【００１７】
請求項６に係る発明によれば、請求項１〜４の何れかに記載の入れ子式ラックＲにラック側デッキ２５と本体デッキ２６を追加するだけで、安定構造の中二階式のデッキ装置を架設することができ、しかしてこの架設作業にあたっては、各ラック側デッキ２５の前端側の左右端部下面に突設した係合凸部３０を、各ラックＲのサイド上梁５の前端側係合用凹部１２に係合させ、本体デッキ２６の前後各端側の左右端部下面に突設した嵌合部材３７を各ラックＲの前柱上端面１ａの積み重ね用嵌合突起１０に嵌合させることによって、作業を迅速容易に能率良く行うことができる。
【発明を実施するための最良の形態】
【００１８】
以下に本発明の好適な一実施形態を図面に基づいて説明すると、図１は本発明に係る入れ子式ラックＲを示す斜視図、図２の(a) は図１のＸ−Ｘ線断面図、(b) はラックＲの正面図、図３の(a) はラックＲの側面図、(b) は背面図であり、図４の(a) は図３の(a) の矢印Ａで示す部分の拡大図、(b) は平面図、（ｃ）は左側面図であり、図５の(a) は図３の(a) の矢印Ｂで示す部分の拡大図、(b) は平面図、（ｃ）は右側面図である。図１において、１は左右の前柱、２は左右の後柱、３は４本の柱１，１，２，２の下端部に設けられた格子枠状の積載床、４は左右の後柱２，２の上端面に亘って水平に架設された後部上梁、５は前柱１の上端部と後部上梁４の上端面部とに亘って水平に架設されたサイド上梁である。
【００１９】
積載床３は、前後の横梁６，７、左右の縦梁８，８及び格子組みされた中間梁９によって構成され、中間梁９は縦横の格子部材９ａ，９ｂからなる。前柱１、後柱２、後部上梁４、サイド上梁５、積載床３の前後横梁６，７、左右縦梁８，８及び中間梁９（格子部材９ａ，９ｂ）は、夫々同じ太さで断面正方形の角形鋼管からなる。
【００２０】
図１及び図２に示すように、左右の前柱１，１の内法間隔をＷとし、左右の後柱２，２の外法間隔をＷ１とすれば、Ｗ＞Ｗ１で、ＷはＷ１よりわずかに広い。これはラックＲが同じ構造のラックに対し入れ子式に収納（ネスティング）することができる条件である。また、積載床３の左右縦梁８，８の外法間隔Ｗ２とし、左右後柱２，２ の内法間隔をＷ３とすれば、Ｗ３＜Ｗ２で、Ｗ２がＷ３よりわずかに広い。Ｗ４は左右の前柱１，１の外法間隔である。そして、左右サイド上梁５，５の内法間隔をＷ５とすれば、積載床３の左右縦梁８，８の外法間隔Ｗ２はＷ５より狭く、Ｗ２＜Ｗ５である。尚、左右サイド上梁５，５の内法間隔Ｗ５は、左右前柱１，１の内法間隔Ｗと実質的に同一である。
【００２１】
また、図１及び図４に示すように、前柱１の上端面１ａには積み重ね用嵌合突起１０が突設され、この積み重ね用嵌合突起１０は、下半部が短円筒状で上半部が半球状に形成されたもので、前柱上端面１ａからの突出高さは、図４の(a) ，(c) から分かるようにサイド上梁５の上面５ａと等しいか、それよりも僅かに低い。尚、積み重ね用嵌合突起１０が嵌合する積み重ね用嵌合凹部１１は、この実施形態のように前柱１が角形鋼管等の中空材からなる場合は、この前柱１の下端部内をそのまま嵌合凹部とすることができ（図１，図２に点線で示す）、また前柱１が中実材からなる場合は、その下端部に凹部を形成すればよい。
【００２２】
積み重ね用嵌合突起１０が突設された前柱１の上端面１ａと後部上梁４の上面４ａとは同一水平面に位置し、この水平面上にサイド上梁５の下面５ｂが位置しており、しかしてこのサイド上梁５の前端側には、図４の(a) ，(b) から分かるように積み重ね用嵌合突起１０の背面側との間に所要空間部Ｋを残して前端側係合用凹部１２が設けられ、サイド上梁５の後端側には、図１及び図５に示すように後部上梁４の上面４ａ端部との間に後端側係合用凹部１３が設けられている。
【００２３】
前端側係合用凹部１２は、図４に示すように、例えば断面正方形の角形鋼管材１２ａからなるもので、サイド上梁５の前端に固着されると共に、前柱１の背面上端部に取り付けられた取付台片１４上にサイド上梁５の前端部と一緒に固着されている。取付台片１４は、下向きコ字形に形成されたもので、角形鋼管材１２ａの底部に位置する取付台片１４の上壁部１４ａには水抜き孔１４ｏが設けてある。
【００２４】
また、後端側係合用凹部１３は、図５に示すように、例えば前端側係合用凹部１２より小さい断面長方形の角形鋼管材１３ａからなるもので、サイド上梁５の後端に固着されていると共に、後部上梁４の上面４ａの端部にサイド上梁５の後端部と一緒に固着されている。図５の(a) に示すように、角形鋼管材１３ａの下端部には水抜き孔１３ｏが設けてある。
【００２５】
また図５に示すように、後端側係合用凹部１３を形成する角形鋼管材１３ａの後端面から後部上梁４の背面４ｃに亘って補助板１５が固着され、この補助板１５の内側に位置するサイド上梁５と後部上梁４との交差部には積み重ね用柱下端部嵌合部１６が形成され、しかしてこの補助板１５は積み重ね用柱下端部嵌合部１６の背面部を位置規制するストッパーとなる。ラックＲの積み重ね時には、積み重ね用柱下端部嵌合部１６に上段側ラックＲの後柱２の下端部が嵌合され、後部上梁４の上面４ａに支持される。図５の(a) において、３９は後部上梁４の開口端面を塞ぐ塞ぎ板である。
【００２６】
図６は、上記のように構成される一つのラックＲに同一構造の他のラックＲを入れ子式に収納した状態を示す。これは、図１及び図２によって説明したように、左右前柱１，１の内法間隔Ｗを左右後柱２，２の外法間隔Ｗ１よりもわずかに広くしたことによるものである。
【００２７】
図７はラックＲを上下に積み重ねた状態を示す。この積み重ね状態では、下段側ラックＲにおける前柱１の上端にある積み重ね用嵌合突起１０が上段側ラックＲにおける前柱１の下端にある積み重ね用嵌合凹部１１に嵌合すると共に、上段側ラックＲにおける後柱２の下端部が、下段側ラックＲにおけるサイド上梁５と後部上梁４とのコーナー部に形成される積み重ね用柱下端部嵌合部１６に嵌合されて、後部上梁４の上面４ａに支持され、それによって上段側ラックＲは前後及び左右方向、即ち水平方向の移動が制限されるから、そのような水平方向の振動が加わっても、上段側ラックＲが転落する可能性はきわめて少ない。
【００２８】
また図７に示す上下積み重ねラックＲ，Ｒには同図の矢印Ｃ及びＤで示す箇所に、上段側ラックＲの積載床３の縦梁８とこれの斜め下方に隣り合う下段側ラックＲのサイド上梁５とを連結して上下垂直方向の移動を規制する垂直連結金具１７が、積載床３側の縦梁８とこれの斜め下方に位置するサイド上梁５との間の水平方向の間隔Ｓ（図８の(a) 参照）を利用して、その縦梁８とサイド上梁５との間に介装される。
【００２９】
この垂直連結金具１７は、図１０に示すように、前記縦梁８に対し上方より係止される上部フック１８ａの下端部に下部筒片１８ｂを固着してなる上部係止金具１８と、図１１に示すように、前記サイド上梁５に対し下方より係止される下部フック１９ａの下端部に上部筒片１９ｂを固着してなる下部係止金具１９と、図９に示すように、両係止金具１８，１９の下部筒片１８ｂと上部筒片１９ｂとに亘って嵌挿される連結用ピン２０とからなるもので、上部係止金具１８の下部筒片１８ｂの上端面１８ｂｏ及び下部係止金具１９の上部筒片１９ｂの下端面１９ｂｏには互いに対応する勾配が付けてある。連結用ピン２０は把手２０ａを有する。
【００３０】
この垂直連結金具１７の使用にあたっては、図８の(b) ，(c) 及び(d) に示すように、上部係止金具１８の上部フック１８ａを上段側ラックＲの縦梁８に対し上方より係止した後、下部係止金具１９の下部フック１９ａを下段側ラックＲのサイド上梁５に対し下方より係止した状態で、上部筒片１９ｂを上部係止金具１８の下部筒片１８ｂに載せるようにし、その後上下筒片１８ｂ，１９ｂに亘って連結用ピン２０を差し込めばよい。この時、上下筒片１８ｂ，１９ｂの対向接触面には勾配が付いているから、連結用ピン２０を差し込むことにより、上下間に締め付け力を発生させることができ、連結金具として有効で、ラックＲや垂直連結金具１７の製作誤差により取付けできなくなるのを防止できる。
【００３１】
図１２は、複数の入れ子式ラックＲをサイド上梁５どうしが隣接するように左右水平方向に配列して使用する状態を示す。この水平配列での使用において、隣接するサイド上梁５，５の前端側で隣り合う前端側係合用凹部１２，１２には前端側水平連結金具２１の係合凸部２２，２２を係合し、また隣接するサイド上梁５，５の後端側で隣り合う後端側係合用凹部１３，１３には後端側水平連結金具２３の係合凸部２２，２２を係合して、隣接するサイド上梁５，５どうしを連結する。
【００３２】
図１３の(a) は図１２の矢印Ｅで示す部分の拡大平面図で、隣接するサイド上梁５，５の前端側で隣り合う前端側係合用凹部１２，１２を示し、(b) は前端側水平連結金具２１を示す正面図、(c) は側面図である。この前端側水平連結金具２１は、金具本体２１ｏの下端側に、隣接するサイド上梁５，５の隣り合う前端側係合用凹部１２，１２に係合可能な位置に係合凸部２１ａ，２１ａを突設し、金具本体２１ｏの上端部に把手２１ｂを取り付けたものである。同図の(a) には、水平連結金具２１の係合凸部２１ａ，２１ａを隣接するサイド上梁５，５の隣り合う前端側係合用凹部１２，１２に係合した状態を一点鎖線で示している。
【００３３】
図１４の(a) は図１２の矢印Ｆで示す部分の拡大平面図で、隣接するサイド上梁５，５の後端側で隣り合う後端側係合用凹部１３，１３を示し、(b) は後端側水平連結金具２３を示す正面図、(c) は平面図、(d) は側面図である。この後端側水平連結金具２３は、金具本体２３ｏの下端側に、隣接するサイド上梁５，５の隣り合う後端側係合用凹部１３，１３に係合可能な位置に係合凸部２３ａ，２３ａを突設し、金具本体２３ｏの上端部に把手２３ｂを取り付けたものである。
【００３４】
図１５の(a) は、複数の入れ子式ラックＲをサイド上梁５どうしが隣接するように左右水平方向及び前後水平方向に配列し、前後水平方向についてはラックＲが背中合わせの状態に配列して使用する状態を示す平面図、(b) は左右前後に隣り合う４つの後端側係合用凹部１３，１３，１３，１３に適用する水平連結金具２４の正面図、(c) は側面図、(d) は平面図である。この水平連結金具２４は、金具本体２４ｏの下端側に、左右及び前後背中合わせに配列されたラックＲの左右前後に隣接するサイド上梁５，５，５，５の左右前後に隣り合う後端側係合用凹部１３，１３，１３，１３に係合可能な位置に４つの係合凸部２４ａ，２４ａ，２４ａ，２４ａを突設し、金具本体２４ｏの上端部に把手２４ｂを取り付けたものである。
【００３５】
上記のように複数のラックＲをサイド上梁５どうしが左右更には前後に隣接するように水平配列する時に、各サイド上梁５の前端部及び後端部に設けた係合凹部１２，１３を利用して、上述したような水平連結具２１，２３，２４の係合凸部２１ａ，２３ａ，２４ａを係合させることにより、隣接するサイド上梁５どうしを、ボルト等の面倒な工具を使用することなく容易に連結できて、水平に配列されたラックＲどうしを強固に連結することができ、それにより地震発生時のラックの揺れを少なくして、ラック自体や保管物品の破損を防止することができる。そして、上記のような水平連結具２１，２３，２４は、その構造が簡単で製作が容易であるから、安価に提供することができる。
【００３６】
図１６は、正立状態にある一つのラックＲの上に同一構造の他のラックＲを逆立ち状態で積み重ねて使用する場合を示すもので、(a) は上下両ラックＲ，Ｒを切り離した状態の斜視図、(b) は上下両ラックＲ，Ｒを連結した状態の斜視図である。この状態での使用にあたっては、ラック前部連結金具４１及びラック後部連結金具４２を、上下両ラックＲ，Ｒの前端側係合用凹部１２，１２間及び後端側係合用凹部１３，１３間に夫々介装して上下両ラックＲ，Ｒを連結する。
【００３７】
ラック前部連結金具４１は、図１７の(a) 及び図１９の(a) から分かるように、上段側ラックＲ及び下段側ラックＲの夫々サイド上梁５，５の前端側係合用凹部１２，１２に夫々係合する例えばコ字形片からなる上下係合片４３，４４と、上下両係合片４３，４４を上下両面に固着する取付板４５と、上段側ラックＲ及び下段側ラックＲの夫々前柱の積み重ね用嵌合突起１０，１０に上下両端部が夫々嵌合する例えば角形鋼管製の嵌合部材４６とを備えたもので、取付板４５の一端側折曲端部４５ａが嵌合部材４６の側面部に固着されている。
【００３８】
ラック後部連結金具４２は、図１７の(b) 及び図１９の(b) から分かるように、上段側ラックＲのサイド上梁５と後部上梁４とのコーナー部に外側から嵌合する嵌合部材４７と下段側ラックＲのサイド上梁５の後端側係合用凹部１３に係合する例えばコ字形片からなる係合片４８とを一体的に備えてなるもので、嵌合部材４７は、前記コーナー部の補助板１５と、上段側ラックＲのサイド上梁５の後端部外側面及び下面とに当接するようになっている。
【００３９】
しかして、ラック前部連結金具４１を使用する時には、図１７の(a) に示す状態から、上下の係合片４３，４４を上段側ラックＲ及び下段側ラックＲの夫々サイド上梁５，５の前端側係合用凹部１２，１２に夫々係合させると共に、嵌合部材４６の上下両端部を上段側ラックＲ及び下段側ラックＲの夫々前柱の積み重ね用嵌合突起１０，１０に嵌合させることによって、図１８の(a) に示すような状態となり、またラック後部連結金具４２の使用については、図１７の(b) に示す状態から、係合片４８を下段側ラックＲのサイド上梁５の後端側係合用凹部１３に係合させると共に、嵌合部材４７を上段側ラックＲのサイド上梁５と後部上梁４とのコーナー部に外側から嵌合させることによって、図１８の(b) に示すような状態となる。
【００４０】
このように、正立状態にある一つのラックＲの上に同一構造の他のラックＲを逆立ち状態で積み重ねる時に上下ラックＲ，Ｒの前端側係合用凹部１２，１２間及び後端側係合用凹部１３，１３間にラック前部連結金具４１及びラック後部連結金具４２を介装することにより、上下のラックＲ，Ｒを、ボルト等の面倒な工具を使用することなく容易迅速にして且つ強固に連結することができると共に、ラックＲに保管する商品の高さ変動に容易に対応できるようになる。
【００４１】
次に、上述した入れ子式ラックＲの使用によるデッキ装置について図２０〜図２５を参照して説明する。
【００４２】
このデッキ装置の組立方法について図２０及び図２１によって概略説明すると、先ず、図２０の(a) ，(b) に示すように、一対の入れ子式ラックＲ，Ｒを互いの前部側が対向するように所定間隔をおいて対峙させ、そして同図の(c) ，(d) に示すように両ラックＲ，Ｒの夫々上部に格子枠状のラック側デッキ２５，２５を載設する。その後、図２１の(a) ，(b) に示すように、両ラック側デッキ２５，２５の前端部間に格子枠状の本体デッキ２６を橋架し、同図の(c) に示すような中二階式のデッキ装置に組み上げる。そして、図示は省略するが、格子枠状のラック側デッキ２５及び格子枠状の本体デッキ２６には、夫々の上面にほぼ同じ大きさの床板を貼り付けるものとする。
【００４３】
尚、デッキ装置では、ラックＲは図２１の(c) に示すように少なくとも２段に積み重ねるが、図１６の(d) 及び図１７の(b) には図面を簡略化するため１段のラックＲを示す。ラック側デッキ２５を最上段ラックＲの上部に載設する時期は、ラックＲを所定の複数段に積み重ねた後でもよいし、その前でもよい。
【００４４】
上記デッキ装置の組立構造について詳細に説明すると、先ず、ラック側デッキ２５は、図２２の(a) 〜(c) に示すように、前枠２６と後枠２７と左右枠２８，２８と格子状中間枠２９とによって格子枠状に形成され、格子状中間枠２９は縦材２９ａと横材２９ｂとから構成され、前枠２６の左右両端部は、ラックＲの左右両サイド上梁５，５の夫々前端部にある前端側係合用凹部１２，１２の位置に対応し、左右枠２８，２８はラックＲの左右両サイド上梁５，５と重なる位置にあり、また後枠２９はラックＲの後部上梁４と対応する。
【００４５】
そして、前枠２６の左右両端部下面には、ラックＲのサイド上梁５の前端側係合用凹部１２に係合する係合凸部３０が突設され、この係合凸部３０の近傍には、後述する本体デッキ２６の嵌合部材３７をラックＲの前柱上端面１ａの積み重ね用嵌合突起１０に嵌合するのを案内すると共に、本体デッキ２６が何らかの外力をうけて脱落するのを防止するための平面視略Ｌ字形のガイド兼脱落防止部材３１が設けられている。
【００４６】
また図２２の(a) に示すように、ラック側デッキ２５の後枠２７と左右枠２８，２８とのコーナー部分は、ラック側デッキ２５をラックＲ上に載置した時にサイド上梁５の後端側係合用凹部１３が塞がれないように切除されており、その切除部をｎで示す。この切除部ｎに、デッキ配列完了後、デッキ用水平連結金具（図示せず）が挿入され、ラックＲ間連結が実施される。また、ラック側デッキ２５の後枠２７の左右両端部には、このラック側デッキ２５をラックＲ上に載置した時にラックＲの後部上梁４の内側に突入してラック側デッキ２５の脱落を防止するストッパー３２が下向きに突設されている。
【００４７】
本体デッキ２６は、図２４の(a) 〜(c) に示すように、前枠３３と後枠３４と左右枠３５，３５と格子状中間枠３６とによって格子枠状に形成され、そして左右各枠３５の下面側左右両端部には、ラックＲの前柱１の上端面１ａに突設された積み重ね用嵌合突起１０に嵌合する嵌合部材３７，３７が突設されており、各嵌合部材３７は、図２５に示すように積み重ね用嵌合突起１０に嵌合可能な凹部を形成する角筒状片からなる。格子状中間枠３６は縦材３６ａと横材３６ｂとから構成される。また、左右枠３５，３５の夫々下面側には補強枠３８が取り付けられている。
【００４８】
図２５は、ラック側デッキ２５をラックＲの上部に載設する際にラック側デッキ２５の前端側左右両端部下面に突出した係合凸部３０をラックＲのサイド上梁５の前端側係合用凹部１２に係合させる状態と、両ラック側デッキ２５，２５の前端部間に本体デッキ２６を橋架する際に本体デッキ２６の前後両端側の左右端部下面に夫々突設した嵌合凹部３７を、各ラックＲの前柱上端面１ａの積み重ね用嵌合突起１０に嵌合させる状態を示している。
【００４９】
上記のように組み立てられた中二階式のデッキ装置にあっては、両ラックＲ，Ｒの夫々上部に載設されたラック側デッキ２５，２５、及び両ラック側デッキ２５，２５の前端部間に橋架された本体デッキ２６は、中二階状の作業床又は物品保管床として使用される。そして、各ラック側デッキ２５及び本体デッキ２６は、夫々格子枠状であるから、前記したように、これらの上面には通常、床板が貼り付けられる。また、本体デッキ２６の下方空間部は通路として利用される。また、デッキ装置の架設が完了すると、図２１の(a) ，(b) から分かるように、ラック側デッキ２５と本体デッキ２６との間に隙間が生じることのない一連の作業床又は物品保管床としての中二階状のデッキを形成することができる。また、本体デッキ２６を外すだけで、３段積みラック保管ヤードに変更することができ、ラックＲの用途の拡大に大きく貢献することができる。
【図面の簡単な説明】
【００５０】
【図１】本発明に係る入れ子式ラックを示す斜視図である。
【図２】(a) は図１のＸ−Ｘ線断面図、(b) はラックＲの正面図である。
【図３】(a) はラックＲの側面図、(b) は背面図でありる。
【図４】(a) は図３の(a) の矢印Ａで示す部分の拡大図、(b) は平面図、（ｃ）は左側面図である。
【図５】(a) は図３の(a) の矢印Ｂで示す部分の拡大図、(b) は平面図、（ｃ）は右側面図である。
【図６】一つのラックに同一構造の他のラックを入れ子式に収納した状態を示す斜視図である。
【図７】ラックを上下に積み重ねた状態を示す斜視図である。
【図８】(a) 〜(d) は上段側ラックの積載床の縦梁とこれの斜め下方に隣り合う下段側ラックのサイド上梁との間に垂直連結金具を介装する状態を説明する説明図である。
【図９】(a) は垂直連結金具の連結用ピンを示す側面図、(b) は正面図である。
【図１０】垂直連結金具の上部係止金具を示す正面図、(b) は平面図、(c) は側面図である。
【図１１】(a) は下部係止金具を示す正面図、(b) は側面図である。
【図１２】複数の入れ子式ラックをサイド上梁どうしが隣接するように左右水平方向に配列して使用する状態を示す斜視図である。
【図１３】(a) は図１２の矢印Ｅで示す部分の拡大平面図で、隣接するサイド上梁前端側で隣り合う前端側係合用凹部を示し、(b) は前端側水平連結金具を示す正面図、(c) は側面図である。
【図１４】(a) は図１２の矢印Ｆで示す部分の拡大平面図、(b) は後端側水平連結金具を示す正面図、(c) は平面図、(d) は側面図である。
【図１５】(a) は複数の入れ子式ラックをサイド上梁どうしが隣接するように左右水平方向及び前後水平方向に配列して使用する状態を示す平面図、(b) は左右前後に隣り合う４つの後端側係合用凹部に適用する水平連結金具の正面図、(c) は側面図、(d) は平面図である。
【図１６】正立状態にある一つのラックの上に他のラックＲを逆立ち状態で積み重ねて使用する場合を示し、(a) は上下両ラックを切り離した状態の斜視図、(b) は上下両ラックを連結した状態の斜視図である。
【図１７】(a) は図１６の(a) の矢印Ｈで示す部分の拡大図、(b) は図１６の(a) の矢印Ｉで示す部分の拡大図である。
【図１８】(a) は図１６の(b) の矢印Ｊで示す部分の拡大図、(b) は図１６の(a) の矢印Ｋで示す部分の拡大図である。
【図１９】(a) はラック前部連結金具の斜視図、(b) はラック後部連結金具の斜視図である。
【図２０】ラックの使用によるデッキ装置の組立方法を示し、(a) は対峙した一対のラックの平面図、(b) は両ラックの側面図、(c) は両ラックに載設される一対のラック側デッキの平面図、(d) は両ラックにラック側デッキを載設した状態の側面図である。
【図２１】(a) は両ラックにラック側デッキを載設した後、両ラック側デッキの前端部間に格子枠状の本体デッキを橋架した状態の平面図、(b) はその側面図、(c) は組立て完成状態の側面図である。
【図２２】ラック側デッキの平面図、(b) は正面図、(c) は側面図である。
【図２３】(a) は図２２の矢印Ｇで示す部分の拡大斜視図、(b) は同部分の正面図、(c) は同部分の平面図である。
【図２４】本体デッキの平面図、(b) は正面図、(c) は側面図である。
【図２５】ラック側デッキの前端側左右両端部下面に突出した係合凸部をラックのサイド上梁の前端側係合用凹部に係合させる状態、及び本体デッキの前後両端側の左右端部下面に夫々突設した嵌合凹部を各ラックの前柱上端面の積み重ね用嵌合突起に嵌合させる状態を示す説明斜視図である。
【符号の説明】
【００５１】
Ｒ            入れ子式ラック
１            前柱
２            後柱
３            積載床
４            後部上梁
５            サイド上梁
６            積載床の前横梁
７            積載床の後横梁
８            積載床の縦梁
１０          積み重ね用嵌合突起
１１          係合凹部
１２          前端側係合用凹部
１３          後端側係合用凹部
１７          垂直連結金具
２１，２３    水平連結金具
２５          ラック側デッキ
２６          本体デッキ
３０          ラック側デッキの係合凸部
３７          本体デッキの嵌合凹部
４１          ラック前部連結金具
４２          ラック後部連結金具
【図１】
2010036976.tif 000003
【図２】
2010036976.tif 000004
【図３】
2010036976.tif 000005
【図４】
2010036976.tif 000006
【図５】
2010036976.tif 000007
【図６】
2010036976.tif 000008
【図７】
2010036976.tif 000009
【図８】
2010036976.tif 000010
【図９】
2010036976.tif 000011
【図１０】
2010036976.tif 000012
【図１１】
2010036976.tif 000013
【図１２】
2010036976.tif 000014
【図１３】
2010036976.tif 000015
【図１４】
2010036976.tif 000016
【図１５】
2010036976.tif 000017
【図１６】
2010036976.tif 000018
【図１７】
2010036976.tif 000019
【図１８】
2010036976.tif 000020
【図１９】
2010036976.tif 000021
【図２０】
2010036976.tif 000022
【図２１】
2010036976.tif 000023
【図２２】
2010036976.tif 000024
【図２３】
2010036976.tif 000025
【図２４】
2010036976.tif 000026
【図２５】
2010036976.tif 000027